(57)【特許請求の範囲】
【請求項１】
基台上に回転自在に装着され、木材を収容するタブと、該タブの下部に設けられて前記木材をチップ化する破砕装置と、前記タブの上部開口面を覆う蓋とを備えた木材破砕機において、
前記蓋を上下方向に回動させて開閉する上下方向回動機構と、前記蓋を水平方向に移動させる半径方向移動機構とを備え、
前記蓋の上下回動機構は、前記タブの周囲に立設される枠体に起伏自在に取付けられた起伏枠と、該起伏枠と前記蓋とを回動自在に連結するピンと、該ピンに一端が連結された起伏枠リンクと、前記蓋に一端が連結された蓋リンクと、一端が前記タブの枠体に連結され、他端が前記起伏枠リンクおよび前記蓋リンクに共通に連結された蓋回動用油圧シリンダとからなり、
前記蓋の半径方向移動機構は、前記枠体と前記起伏枠との間に取付けられて起伏枠を起伏させる油圧シリンダからなる
ことを特徴とする木材破砕機のタブの蓋開閉装置。
【請求項２】
請求項１に記載の木材破砕機のタブの蓋開閉装置において、
前記蓋リンクは長さ調整可能な構成を有する
ことを特徴とする木材破砕機のタブの蓋開閉装置。
【発明の詳細な説明】
【０００１】
【発明の属する技術分野】
本発明は、木材片や根あるいは木製建築廃材等の木材を再利用のために破砕する木材破砕機のタブの蓋開閉装置に関する。
【０００２】
【従来の技術】
従来の木材破砕機は、円形の回転式タブに木材を入れ、タブの下方の破砕装置によりチップ化し、チップ化したものをコンベアにより木材破砕機の外部に排出するものであり、破砕により得られたチップは例えば公園や農地等に散布する等の形で再利用される。このようなタブには油圧シリンダの伸縮により上下回動されて開閉される蓋がタブの外周の枠体に取付けられる。この蓋はタブに入れた木材の飛散を防止すると共に、木材を押さえる役目を有する。
【０００３】
【発明が解決しようとする課題】
前記蓋は木材をタブ内に入れる際に、油圧シリンダを伸縮させて蓋を開閉する必要がある。しかしこの油圧シリンダの伸縮による蓋の開閉には時間がかかり、特に所定のインターバルで木材を投入していく作業の場合には、破砕作業の能率が悪くなるという問題点がある。
【０００４】
本発明は、上記問題点に鑑み、タブ内に木材を入れる際の蓋の開閉を迅速に行うことができる木材破砕機のタブの蓋開閉装置を提供することを目的とする。
【０００５】
【課題を解決するための手段】
請求項１の木材破砕機のタブの蓋開閉装置は、基台上に回転自在に装着され、木材を収容するタブと、該タブの下部に設けられて前記木材をチップ化する破砕装置と、前記タブの上部開口面を覆う蓋とを備えた木材破砕機において、
前記蓋を上下方向に回動させて開閉する上下方向回動機構と、前記蓋を水平方向に移動させる半径方向移動機構とを備え、
前記蓋の上下回動機構は、前記タブの周囲に立設される枠体に起伏自在に取付けられた起伏枠と、該起伏枠と前記蓋とを回動自在に連結するピンと、該ピンに一端が連結された起伏枠リンクと、前記蓋に一端が連結された蓋リンクと、一端が前記タブの枠体に連結され、他端が前記起伏枠リンクおよび前記蓋リンクに共通に連結された蓋回動用油圧シリンダとからなり、
前記蓋の半径方向移動機構は、前記枠体と前記起伏枠との間に取付けられて起伏枠を起伏させる油圧シリンダからなる
ことを特徴とする。
【０００６】
このように、蓋を横に移動する装置を設ければ、少ない移動量でタブを開口面積を広くすることができ、蓋の開閉時間を大幅に短縮することができる。
【０００７】
また、油圧シリンダを用いた起伏枠の起伏機構やリンク機構により、比較的簡素な構成で蓋の横移動機構が構成できる。また、起伏枠を少し立てると共に、蓋開閉用油圧シリンダを伸ばすことにより、蓋を高い位置で水平姿勢とすることができ、これにより、大きな木材であっても押さえて破砕することができる。
【０００８】
請求項２の木材破砕機のタブの蓋開閉装置は、請求項１において、
前記蓋リンクは長さ調整可能な構成を有する
ことを特徴とする。
【０００９】
このように、蓋リンクの長さを調整可能とすることにより、蓋リンクを長くすることができ、これにより蓋を低い姿勢にして木材を押さえることができ、比較的小さい木材を破砕する場合に好適な状態で破砕できる。
【００１０】
【発明の実施の形態】
図１は本発明によるタブの蓋開閉装置を適用した木材破砕機の一実施の形態を示す側面図、図２はその平面図である。この木材破砕機は、クローラ式走行体１上に車体フレーム２（基台）を設置し、車体フレーム２上の後部にパワーユニット３および走行操作等を行う運転装置４を設置し、前部に円形枠体５を設置し、該枠体５内に、駆動装置６により回転されるタブ７を装着する。
【００１１】
前記枠体５の下部には、タブ７内に入れた木材をチップ状に破砕する破砕装置８が設けられる。また、車体フレーム２には、チップ排出用コンベア９を、その後部が前記破砕装置８の下に位置し、かつ前部が車体前方に突出するように取付けられる。該コンベア９の前端には磁選機１０と磁選機により吸着して離脱させる鉄くずを後方に落下させるシュート１１が設置される。
【００１２】
１２はタブ７の上部開放面を覆う蓋であり、該蓋１２は開閉装置１３により開閉自在に設置される。該蓋１２は図２に示すように、タブ７内の開口部における中心点Ｏを超える領域を覆うような、開閉装置１３側がタブ開口面に沿う円弧状をなし、その反対側先端が直線状をなすようなほぼ半円状をなす。
【００１３】
図３は前記開閉装置１３を拡大して示す側面断面図、図４はその平面図である。図３において、１５はタブ７内に入れた木材を前記破砕装置８に導く開口部である。１６は枠体５にタブ７を回転自在に支持するためのローラである。
【００１４】
本実施の形態の開閉装置１３は、蓋１２を上下方向に回動させる上下方向回動機構と、蓋１２をタブ７の半径方向に移動させる半径方向移動機構とからなる。本実施の形態においては、前記開閉装置１３は、前記枠体５にピン１７を中心に起伏自在に取付けられた起伏枠１９と、該起伏枠１９と前記蓋１２とを回動自在に連結するピン２０と、該ピン２０に一端が連結された起伏枠リンク２１と、前記蓋１２に一端がピン２２により連結された蓋リンク２３と、一端が前記タブの枠体５にピン２５により連結され、他端が前記起伏枠リンク２１および前記蓋リンク２３にピン２６により共通に連結された蓋回動用油圧シリンダ２７とからなる。
【００１５】
前記蓋１２の上下方向回動機構は、油圧シリンダ２７と前記リンク２１、２３とからなる。前記蓋１２の半径方向移動機構は、前記枠体５と前記起伏枠１９との間にピン２９、３０によって取付けられて起伏枠１９を起伏させる油圧シリンダ３１からなる。
【００１６】
図５（Ａ）〜（Ｃ）は前記開閉装置１３の動作を説明する図である。図５（Ａ）は、蓋１２によりタブ７の開口面を中心点Ｏを超える領域で塞いでいる状態を示すもので、図５（Ｂ）は図５（Ａ）に示す状態から起伏用油圧シリンダ３１を伸長させて起伏枠１９を起立させると同時に回動用油圧シリンダ２７を伸長させてピン２０を中心に蓋１２を押し下げて、図５（Ａ）の蓋１２を水平に保ったまま上昇させつつ半径方向（中心点Ｏから後退する方向）に若干移動した状態を示すものであり、図５（Ｃ）は、油圧シリンダ３１、２７をさらに伸長させて蓋１２の先端を下向きに傾斜させ、かつ前記中心点Ｏよりも開閉装置１３側にさらに後退させた状態を示すもので、油圧シリンダ３１のさらなる伸長により蓋１２がピン１７を回動中心に中心点Ｏから遠ざかる方向へ移動し、油圧シリンダ２７の伸長により蓋１２の先端がタブ７内に収容されつつピン２０を回動中心として中心点Ｏから遠ざかる方向に移動するものである。
【００１７】
そして、図５（Ａ）の状態でタブ７に投入された木材を押え、飛散を防止しつつ破砕する作業を行い、油圧シリンダ３１、２７の操作により、蓋１２を図５（Ｂ）の状態を経て図５（Ｃ）の状態へと変化させることで、蓋１２の先端が中心点Ｏよりも開閉装置１３側に後退させた状態まで移動し、タブ７の開口部を約半分よりも大きく開口させることができる。
【００１８】
このように蓋１２をある程度開いた状態にすれば、特別に大きな木材以外は蓋１２の先端とタブ７の内壁との間の開口部から木材をタブ７に例えばグラップルなどによって把持して投入することができる。
【００１９】
上述した開閉装置１３は、蓋１２の木材衝突による浮き上がりを防止する機能を受け持つ比較的大容量の回動用油圧シリンダ２７に対し、主として起伏枠１９を起伏させる油圧シリンダ３１は小容量で済み、しかも図５（Ａ）、（Ｃ）に示す回動用油圧シリンダ２７の伸縮量はわずかで済み、小容量である起伏枠１９の起伏用油圧シリンダ３１の伸長で前記蓋１２を開く動作が行われるので、図５（Ｃ）から（Ａ）への閉じ動作も同様に小容量の油圧シリンダ３１の収縮により行われるので、開閉に要する時間が短縮される。
【００２０】
また、本実施の形態においては、図５（Ｂ）に示すように、蓋１２を水平にしたままでタブ７の上面７ａより少し上げた位置に設定することができるため、大型の木材も容易にタブ７内に入れて破砕を行うことができる。
【００２１】
図５（Ｄ）は前記実施の形態の変形例を示す側面図であり、前記蓋リンク２３の代わりに例えばターンバックル（油圧シリンダでもよい）を蓋リンク２３Ａとして用いることにより、長さが変えられるように構成したものである。このように構成すれば、蓋リンク２３Ａを長くすることができ、これにより蓋１２を低い姿勢にして木材を押さえることができ、比較的小さい木材を破砕する場合に好適な状態で破砕できる。
【００２２】
【発明の効果】
以上説明したように、本発明の木材破砕機のタブ蓋の開閉装置によれば、タブの蓋を上下方向回動機構と半径方向移動機構により開閉可能としたので、蓋の開閉時間を大幅に短縮することができ、木材の破砕作業の能率を向上させることができる。
【図面の簡単な説明】
【図１】本発明によるタブの蓋開閉装置を適用した木材破砕機の一実施の形態を示す側面図である。
【図２】図１の平面図である。
【図３】本発明によるタブの蓋開閉装置の一実施の形態を示す側面断面図である。
【図４】本発明によるタブの蓋開閉装置の一実施の形態を示す平面図である。
【図５】（Ａ）〜（Ｃ）は本実施の形態の蓋の開き動作を示す工程図、（Ｄ）は本実施の形態の蓋リンクの変形例を示す側面図である。
【符号の説明】
１：走行体、２：車体フレーム、３：パワーユニット、４：運転装置、５：枠体、６：駆動装置、７：タブ、８：破砕装置、９：コンベア、１０：磁選機、１１：シュート、１２：蓋、１３：開閉装置、１５：開口部、１６：ローラ、１７、２０、２２、２５、２６、２９、３０：ピン、１９：起伏枠、２１：起伏枠リンク、２３、２３Ａ：蓋リンク、２７：蓋回動用油圧シリンダ、３１：起伏用油圧シリンダ、Ｏ：中心点
【図１】
0003794626.tif 000002
【図２】
0003794626.tif 000003
【図３】
0003794626.tif 000004
【図４】
0003794626.tif 000005
【図５】
0003794626.tif 000006